(57)【要約】【課題】表示部に複数のＬＥＤランプ群を配置して複数の文字や絵記号を表示できるようにした発光表示システムにおいて、文字や絵記号を個々に表示制御するのはもとより、複数の文字や絵記号を一括りにした全体で１つの表示動作を行うことができるようにした発光表示システムを提供する。【解決手段】表示部に配置したＬＥＤランプを表すマークを、実際のＬＥＤランプの配置形状および電気的接続順序に合わせてモニタ画面上に配置する。その際に、表示部で表示する文字や記号の１つ１つに対応する発光表示系統ごとにマークを登録する。発光表示系統には座標系が設定されて、発光表示系統に属する各マークに位置情報が付与され、この位置情報を基にして発光制御データが作成される。複数の発光表示系統に１つの座標系を設定してマークに位置情報を付与することにより、複数の文字や絵記号を１組の表示パターンとした表示動作を行う。【選択図】図１５
2006119171.tif 000002
【特許請求の範囲】
【請求項１】
複数の発光体を任意の形状に沿って配置すると共に、複数の前記発光体のうち所定数の発光体をひとまとまりにシリアル接続して構成する発光表示系統を複数備える表示部と、
表示部に配置した複数の発光体に関する発光制御データを作成する編集装置と、
前記発光制御データを複数記憶すると共に、発光制御データに基づいて前記表示部へ表示信号を送出する表示制御部と、を備え、発光体を点滅することで装飾発光を行う発光表示システムにおいて、
前記表示部に配置した発光体の配置数と配置形状とシリアル接続順に合わせて、発光体を表すマークを編集装置の編集メニュー画面上に配置する機能と、
編集メニュー画面上にマークを配置して表した複数の前記発光表示系統の各々に対して個々に座標系を設定し、マークの位置情報を発光表示系統ごとに求める機能と、
編集メニュー画面上の複数の発光表示系統のうち、任意の複数の発光表示系統に対して同一の座標系を設定し、異なる発光表示系統に属するマークの位置情報を同一の座標系に基づいて求める機能と、
求めたマークの位置情報を発光制御データの作成に用いる基本データとして登録する機能と、を前記編集装置に備え、
個々の発光表示系統ごとに得たマークの位置情報、あるいは複数の発光表示系統に同一の座標系を設定して得たマークの位置情報、のいずれの位置情報も前記基本データとして登録できるようにしたことを特徴とする発光表示システム。
【発明の詳細な説明】
【技術分野】
【０００１】
本発明は、建物の壁面等にＬＥＤ等から成る発光体を複数取り付け、個々の発光体を所定の発光タイミングで点滅することでイルミネーション発光を行う発光表示システムに関する。
【背景技術】
【０００２】
建物の壁面や観覧車等に発光体をライン状に配列し、発光体ごとに点滅を制御することで、ライン全体を一斉に点滅させたり、あるいは部分的に点滅させたり、流れ星のように光を流動表示する発光装置が知られている。
【０００３】
このような装置によりイルミネーションを行うための制御データを作成する装置や制御データ作成プログラムを記録した記憶媒体として、下記に示す特許文献１がある。この先行技術は、ＬＥＤ等のランプ群に発光表示する発光パターンの時系列的な変化をコンピュータのモニタ画面上で逐次確認しながら編集するものである。
【０００４】
特許文献１では、まず、線状に配列された多数のＬＥＤランプ群をコンピュータのモニタ画面に表示されたビットマップ形式の原画の１行に対応付け、そのランプ群による発光パターンの時系列的な変化を原画の列方向に展開して２次元画像を作成する。線状に配列したランプ群を２次元ビットマップ画像の１行に置き換え、時間の流れと共にランプ群の発光が変化していく様子をビットマップの列方向に並べて表現したものである。そして、このような原画データをコンピュータの編集画面上で編集を加えて１行毎に抽出し、その抽出するときの抽出ライン移動速度を任意に設定してイルミネーションの制御データを作成している。このようにして制御データを作成することにより、確かに、ＬＥＤランプ群を１本の直線形状に配置した場合には、ランプ群で表示する発光パターンの時系列的な変化を直感的に確認しながら編集することができた。しかし、ＬＥＤランプ群を文字や絵記号等を形づくるように２次元に配置する場合は、発光パターンの変化をビットマップ形式の原画に展開することができず、イルミネーション制御データを作成することができなかった。
【０００５】
そこで、本出願人は下記特許文献２に示す発光表示システムを既に提案した。同提案によれば、表示部を構成するＬＥＤランプ群が広告看板用のロゴマークや特別な書体文字といった形状に２次元配置されている場合にも、コンピュータ（編集装置）のモニタ画面上に文字や絵記号を実際の表示部のイメージで再現し、また、発光表示するイメージをモニタ画面上の模擬表示で確認しながら発光制御データを作成することが可能になる。
【特許文献１】特開２００１−１６６７３８号
【特許文献２】特願２００３−３９６５６５号
【発明の開示】
【発明が解決しようとする課題】
【０００６】
ところが、特許文献２の提案において新たに問題点が発生した。シリアル接続した一連のＬＥＤランプ群で１つの文字を構成し、その文字を複数並べて表示するような場合、複数文字全体で１つの表示動作を行うことができなかったのである。図１７に示すパターンを例にすれば、「Ａ」「Ｂ」「Ｃ」の３文字をそれぞれ別々にカーテン表示（左側から右側へ徐々に点灯させていく表示）することは出来た。しかし、「Ａ」「Ｂ」「Ｃ」を１つのロゴマークとし、ＡＢＣの順でＡの左端からＣの右端へ徐々に点灯して最終的にＡＢＣの３文字を全点灯するというカーテン表示動作を行うことはできなかった。異なるＬＥＤランプ群によって構成されたＡ、Ｂ、Ｃの各文字は、１文字を構成するＬＥＤランプの位置情報を文字ごとに備えており、別の文字を構成しているＬＥＤランプとの相対的な位置関係を表す情報を備えていないため、異なる文字の間で同期した発光表示動作を行うことができなかったのである。
【０００７】
本発明はこの問題点を解決することを課題としており、表示部に複数のＬＥＤランプ群を配置して複数の文字や絵記号を表示できるようにした発光表示システムにおいて、文字や絵記号を個々に表示制御するのはもとより、複数の文字や絵記号を一括りにした全体で１つの表示動作を行うことができるようにした発光表示システムを提供することを目的としている。
【課題を解決するための手段】
【０００８】
本発明は、上記課題を解決するために、複数の発光体を任意の形状に沿って配置すると共に、複数の前記発光体のうち所定数の発光体をひとまとまりにシリアル接続して構成する発光表示系統を複数備える表示部と、表示部に配置した複数の発光体に関する発光制御データを作成する編集装置と、前記発光制御データを複数記憶すると共に、発光制御データに基づいて前記表示部へ表示信号を送出する表示制御部と、を備え、発光体を点滅することで装飾発光を行う発光表示システムにおいて、前記表示部に配置した発光体の配置数と配置形状とシリアル接続順に合わせて、発光体を表すマークを編集装置の編集メニュー画面上に配置する機能と、編集メニュー画面上にマークを配置して表した複数の前記発光表示系統の各々に対して個々に座標系を設定し、マークの位置情報を発光表示系統ごとに求める機能と、編集メニュー画面上の複数の発光表示系統のうち、任意の複数の発光表示系統に対して同一の座標系を設定し、異なる発光表示系統に属するマークの位置情報を同一の座標系に基づいて求める機能と、求めたマークの位置情報を発光制御データの作成に用いる基本データとして登録する機能と、を前記編集装置に備え、個々の発光表示系統ごとに得たマークの位置情報、あるいは複数の発光表示系統に同一の座標系を設定して得たマークの位置情報、のいずれの位置情報も前記基本データとして登録できるようにしたことを特徴とする発光表示システム。を提案する。
【発明の効果】
【０００９】
本発明の作用によれば、表示部に配置されているＬＥＤランプに合わせて編集装置の編集メニュー画面上にマークを配置する。実際の表示部は、複数個のＬＥＤランプを電気的に一続きにシリアル接続した発光表示系統によって１つの文字や１つの記号が構成されており、編集画面上にマークを配置する際にも、配置位置に関する情報や、電気的な接続順序に関する情報を合わせて発光表示系統ごとにデータとして登録していく。その結果、編集装置の編集画面上には、ＬＥＤランプの配置形状に合わせてマークが配置されると同時に、マークが属する発光表示系統に関する情報も表示される。編集画面上には複数の発光表示系統がプロットされ、それら発光表示系統に対して、その１つ１つに座標系を設定して各発光表示系統に属するマークの位置情報を求めることができ、また、複数の発光表示系統に１つの座標系を設定し、異なる発光表示系統に属するマークの位置情報を同じ座標に基づいて求めることもできる。そして、求めたマークの位置情報を基本データとして発光制御データを作成する。
【００１０】
したがって、１組の文字や絵記号に相当する複数の発光表示系統に１つの座標系を設定することにより、１組の文字や絵記号全体を１つの表示動作で発光表示することができ、ロゴマークのように複数の文字や絵記号からなる１組の表示パターンを、違和感なくまた見栄え良く表示できるという効果が得られる。
【００１１】
以下、本発明の好適な実施形態を図面に基づいて説明する。
【実施例】
【００１２】
図１は本発明一実施例の全体構成を示す説明図である。本実施例に関わる発光表示システムは、表示部１とコントローラ２の二つの主要部によって構成されている。表示部１はさらに複数の発光表示系統（本実施例では１Ａ、１Ｂおよび１Ｃ）によって構成されている。各表示系統の中に複数配列される１１は発光体たるＬＥＤランプで、ランプケース内にＲＧＢ各色のＬＥＤを配置すると共に、ＬＥＤ駆動回路を内蔵している。このＬＥＤランプ１１は、コントローラ２からの表示制御信号を受けて点滅動作を行う最小の発光単位であり、ドットマトリクス方式の表示装置でいう１ドットに相当するものである。表示系統１Ａは（表示系統１Ｂ、１Ｃも同様）、ＬＥＤランプ１１の集まりによって構成されており、ひとつの表示系統あたり最大１２８個までＬＥＤランプを接続することが可能で、複数個のＬＥＤランプを直線や曲線を描くように並べることで表示部が形づくられる。１２は信号ラインで、文字や飾りラインを描くように配列される複数個のＬＥＤランプをシリアル（直列）接続し、その結果、全体として形成されるシリアル回路の一端を受信回路１３に接続して、残る一端を終端処理している。１４は電源ラインで、分配器１５から供給される電力を各ＬＥＤランプ１１に供給する。分配器１５は、表示系統とコントローラ２との間に位置しており、コントローラ２から送出される表示制御信号をいったん受けて同信号を受信回路１３に受け渡す機能と、商用電源から得た電力を直流に変換して電源ライン１４に供給する機能とを備えている。１つの分配器には最大８つまでの表示系統を接続することが可能で、また、コントローラ２には最大４台までの分配器を接続することが可能である。
【００１３】
次に、表示制御部たるコントローラ２について説明する。１６は記憶部で、コントローラの制御動作に関する動作プログラムと、表示部１に配列する表示系統分のＬＥＤランプの点滅態様を記憶する点滅情報と、この点滅情報をどのようなタイミングで表示部１に表示するかを指定するスケジュール情報と、発光表示システム全体に関する各種の設定データとを記憶している。１７はＣＰＵで、記憶部１６で記憶するプログラムやデータに従いダイナミック表示方式による表示処理手順をこなす。１８はＶＲＡＭで、表示部１に並べられたＬＥＤランプ１１の配列構成に対応したメモリ構成を持ち、記憶部１６から読み出した点滅情報をビットデータとして展開可能な記憶領域を備えている。１９はプログラマブルロジックデバイスで、ダイナミック駆動タイミングに基づいてＶＲＡＭ１８に展開したビットデータを読み出し、発光制御データとして送信回路２０を介して前記分配器１５に送出する。２１はリアルタイムクロックＩＣで、ＣＰＵ１７からの要求を受けて現在時刻と年・日付・曜日を出力する。２２はメモリカードで、メモリカードインターフェース２２ａを介してコントローラ２に着脱され、外部の編集装置で作成した各種データを記憶部１６に転送するための記憶媒体として用いられる。２３は外部に設置された編集装置で、発光制御データ編集アプリケーションプログラムがインストールされたコンピュータによって構成される。
【００１４】
次に、表示部の構成について詳細に説明する。まず、図２にＬＥＤランプ１１の外観を示す。３は樹脂材料からなるランプケースで、上面にＲＧＢ各色のＬＥＤ４を備え、図示しないケース内側にはＬＥＤ駆動回路が収められている。ＬＥＤ４はプリント基板に半田付けされた後、シフトレジスタ回路やラッチ回路等を搭載したＩＣと共にランプケース３の内側に収められ、ケース内の隙間に上から流動性シリコンを充填してポッティング封止している。このポッティング処理により、ランプケース３の表面にはＬＥＤの発光レンズ部分のみが現れ、ＬＥＤのリード端子を含む電装部品は完全にシールされる。３ａは弾性を有する係合爪で、後述する取付ベースの係合部に弾性力を利用して着脱自在に取り付けられるようにしている。３ｂはネジ止め用の穴を備えたフランジで、このフランジとネジやボルトを利用することで建物の壁面等へ直接固定できるようにしている。５は柔軟性を備えた可撓性ケーブルで、図１に示した信号ライン１２と電源ライン１４がこのケーブル内に挿通されている。この可撓性ケーブル５は、ランプケース内において上記電装部品と共に流動性シリコンでポッティングされており、ランプケースからのケーブル引き出し部分にも防水性が与えられている。
【００１５】
図３はＬＥＤランプユニットと取付ベースとの関係を示す説明図である。ＬＥＤランプ１１は、可撓性ケーブル５によって複数個がひとまとめにシリアル接続され、ＬＥＤランプユニット７を構成する。本実施例では４つのＬＥＤランプ１１を所定長さのケーブルで接続しており、両端に位置するＬＥＤランプから延出するケーブルにはコネクタ６を備えている。８は金属材料からなる板状の取付ベースで、長方形板材の長辺両縁部を曲げ起こした断面略コ字状をなし、短辺方向の長さがＬＥＤランプ１１の幅とほぼ一致している。８ａはランプ取付穴で、この細長形状の穴にＬＥＤランプ１１の係合爪３ａを嵌め込み、係合爪３ａの弾性力をもってＬＥＤランプ１１を着脱自在に固定できるようにしている。８ｂは取付ベース取付穴で、ネジやボルトを利用して建物の壁面等へ取付ベース８を固定することができる。８ｃは取付ベース８を取り付ける際の調整用の切り込みで、取付ベース８の短辺を切るように、一部を残してスリット状の切り込みを設けたものである。
【００１６】
このように構成されるＬＥＤランプユニット７は、コネクタ６によって別のＬＥＤランプユニットと接続することが可能で、１つの表示系統で表示部１を構成した場合、壁面等の設置場所に合わせて連続的にＬＥＤランプユニットを直列接続し、途中に電源を追加することで最大８００台（ＬＥＤランプで３２００個）まで接続することができる。
【００１７】
次に、図４を基に表示部１を実際に設置した例について説明する。図４は設置例の一部を部分的に示したものであり、直線と曲線とを組み合わせた例である。まず、建物の壁面に複数個の取付ベース８を直線状に取り付けて２本の直線を形成する。次に、それら取付ベースに対してＬＥＤランプを所望の配置間隔で固定しランプユニット７を連続的に接続していく。このとき、個々のＬＥＤランプ１１を配置する間隔は等間隔でも良いし、不等間隔でも良い。要は装飾効果や演出効果、あるいは形づくりたい文字や図柄を考慮して取付位置を決定すれば良い。このようにして形成した２本の直線は、自由な曲線でつなぐことができる。曲線を描く場合は、取付ベース８を用いずに、ＬＥＤランプ１１のフランジ３ｂを利用してネジやボルトで壁面に直接固定する。取り付ける位置は自由に決定することができ、ＬＥＤランプを並べながら固定していく間隔等を考慮することで、滑らか（ＬＥＤランプを狭い間隔で多数配置した）な曲線や、小さな曲率半径から大きな曲率半径まで各種曲線にを描くことができる。
【００１８】
このように、直線と曲線を組み合わせることにより、図５に示すようなロゴマークを描くことが可能になる。図示の例は３つの表示系統で構成しており、図１に示した表示系統１Ａにより「Ａ」の文字を描き、表示系統１Ｂ、１Ｃによりそれぞれ「Ｂ」「〜」を描いている。既に説明した様に、同じ表示系統に属するＬＥＤランプはシリアル接続され、別の表示系統に属するＬＥＤランプとは独立しているため、「Ａ」「Ｂ」「〜」の３つを独立して発光制御することができる。
【００１９】
次に、前記編集装置２３による発光制御データ編集プログラムの動作について説明する。まず、編集装置２３によって発光制御データを作成する全体の流れを図６（ａ）に基づいて説明する。最初に、編集装置２３たるパーソナルコンピュータを起動し、発光制御データ編集プログラムを立ち上げる。次に、複数設置された発光表示システムを区別するために、顧客管理情報を設定する。次に、設定した顧客管理情報のもとで行う一連の発光表示動作（表示シーケンス）を作成し、作成したデータを保存して終了する。この流れの中で最初に設定する顧客管理情報は、顧客先に設置した発光表示システムの仕様を編集装置２３上に再現するものであり、顧客ごとに物件対応した仕様に対応して発光制御データを作成するために必要な設定手順である。その顧客管理情報の設定手順の流れを図６（ｂ）に示し、各手順においてコンピュータのモニタ画面に表示される編集画面を図７、図８、図９、図１２、図１３、図１４に示す。
【００２０】
編集装置２３の発光制御データ編集プログラムを立ち上げると、図７に示す画面が表示される。画面に表示された顧客管理テーブルの左端縦列には連番が付されており、各番号が付された行ごとに顧客管理情報を登録することができる（３０）。既に作成された顧客管理情報は「顧客名称」「作成日」「系統数」「メモ」の項目にそれぞれの登録内容が表示されており、何も登録されていない行は空欄となっている。既に作成済みの発光制御データを再編集する場合は、該当する顧客の行にマウスカーソルを合わせ、ダブルクリックすることで顧客管理情報と発光制御データの編集が可能となる。新規に作成する場合は、空欄の行にマウスカーソルを合わせてダブルクリックすることで、図８に示す登録ウィザードメニューが表示される。表示された画面の顧客名称入力枠３１に顧客の名称を入力し、系統数指定窓３２により表示系統数を指定する。ここで指定する表示系統の数は、実際に壁面等に設置してある表示部の系統数を指定するものであり、本実施例では前述の通り１Ａ、１Ｂ、１Ｃという３つの表示系統で構成しているため、系統数３を指定する。表示系統数を指定すると、指定した数に応じてタブ３３が表示され、３つの表示系統それぞれについての詳細な設定が行えるようになる。設定可能な項目は、系統についてのコメント、系統のタイプ、ＬＥＤランプ数である。表示系統についてのコメント枠には自由に文字を入力することができるため、系統に関するタイトルやイニシャル等を入力すればよい。系統のタイプとは、表示系統を構成するＬＥＤランプ１１が直線で配置されるのか、あるいは文字や図柄のように自由な曲線で配置されるのかを指定する項目であり、ラジオボタン３４により、直線配置の場合は「ライン等」を指定し、自由曲線配置の場合は「チャネル文字等」を指定すればよい。ＬＥＤランプ数とは、各表示系統に配置するＬＥＤランプの数を表すもので、配置可能な最大数がデフォルト表示される。配置可能な最大数は系統数指定窓３２で指定する系統数により変化し、例えば、系統数が１の場合は４０９６個、系統数が２の場合は２０４８個、系統数が３の場合は１０２４個といったように配置可能最大数がデフォルト表示されるので、表示された数よりも少ない数で、かつ表示部に実際に配置したＬＥＤランプ数に合わせて指定する。ラジオボタン３４で「ライン等」を指定した場合は、ＬＥＤランプ数を指定した時点で顧客管理情報に関する入力項目は全て終了する。一方、ラジオボタン３４で「チャネル文字等」を指定した場合は、配置変更ボタン４１を押してＬＥＤランプの配置を指定する。
【００２１】
図示の状態で配置変更ボタン４１を押すと、図９に示すＬＥＤランプ配置メニュー画面が表示される。このメニューでは、ＬＥＤランプ１１が表示部に配置された状態を、実際のＬＥＤランプに代わるマークで表示系統ごとに登録することができる。図９は、表示系統１Ａによって描く「Ａ」の文字を表示系統１Ａのレイヤに登録する例である。モニタ画面に表示された縦横方向のグリッド線６０を目安にしながら、表示部のＬＥＤランプ配置と同じくなるようにマーク４２を配置する。グリッド線同士の間隔は、複数段階に切り替え可能であり、グリッド表示設定ボタン４５をクリック操作することによりグリッド表示設定メニュー６１が立ち上がり、グリッド線の表示間隔を横方向と縦方向にそれぞれ独立してテンキーで指定することができるようになる。６２は横方向に表示するグリッド線の表示間隔を指定する入力窓であり、６３は縦方向に表示するグリッド線の表示間隔を指定する入力窓である。また、６４はグリッド線の表示有無を指定するチェックボックスである。このチェックボックスのチェックを外すことにより、グリッド線を表示させないようにすることもできる。画面には、グリッド線の他に任意の画像データを下絵として表示し、その画像データ上にマーク４２を重ねて配置することもできる。読み込み可能な画像データの種類としては、ＢＭＰ、ＪＰＥＧ等各種形式の画像データに対応している。下絵として読み込む手順は、画面上方に位置する下絵オープンボタン４３をクリック操作し、下絵に設定したい画像が保存されている場所を指定して「開く」の操作を行えばよい。表示部のＬＥＤ配置図面やロゴマーク画像などを下絵に設定することにより、マーク４２の配置作業が容易になり作業効率が格段に向上する。画像データを読み込んで下絵としていったん設定した後にも、下絵有無ボタン４４をクリック操作するたびに下絵の表示有無を切り替えることが可能である。また、表示系統１Ｂ、１Ｃのそれぞれのレイヤに既にマークが登録されている場合にも、画面上へ他のレイヤのマークを重ねて表示するようにしている。図９は表示系統１Ａのレイヤに関する編集画面であるが、別の表示系統である「Ｂ」「〜」も表示されており、これは表示系統１Ｂ、１Ｃに既にマークが登録されている状態を表している。他の表示系統の配置マークとの位置関係や大きさの関係が確認できることにより、文字「Ａ」に関するマークの配置作業を容易に行うことができる。もちろんこの場合、マーク配置作業が可能な表示系統は１Ａのみであり、表示系統１Ｂ、１Ｃは表示されるだけで、編集や配置作業を行うことはできない。
【００２２】
マーク４２はマウスカーソルの動きに合わせて移動させることができ、所定の位置にマーク４２を合わせたところでクリック操作することによりマークの位置を固定する。マーク４２の固定操作は連続して行うことが可能で、表示部に配置されたＬＥＤランプの配置形状、ランプ数、電気的接続順に合わせてマーク４２の位置を固定していく。このとき、マーク位置を固定していくと同時に順番に番号が付与され、ＬＥＤランプの電気的接続順と一致してマーク４２に番号情報が与えられる。本実施例では、表示系統１Ａで「Ａ」の文字を描いているため、マーク４２を「Ａ」の形に配置したらＯＫボタン４６をクリックして登録し、このメニュー画面を終了する。ＯＫボタン４６を操作することによって画面は図８に戻り、タブ３３にある「系統０２」において「Ｂ」の文字について設定し、「系統０３」において「〜」の文字について設定を行うことができる。
【００２３】
上記操作をくり返し、図８の画面で系統０１、系統０２、系統０３の登録設定が終了したら顧客管理情報に関する入力項目が全て終了する。
【００２４】
ここで、図９のＬＥＤランプ配置メニュー画面で表示するグリッド線について、図１０図１１を基に更に詳しく説明する。
図１０に示すように、モニタ画面に表示されたグリッド上には、座標系が重ね合わせて設定される。この座標系はモニタ画面上には表示されず、編集装置の内部で行われる内部処理で設定され、モニタ画面上のグリッド線の表示間隔と同じ目盛間隔の座標軸を備えている。図１０はその座標系を示したもので、座標軸の目盛間隔でｘ軸およびｙ軸にそれぞれ平行線を引いて形成した方眼のセルに座標（ｘ，ｙ）を割り当てている。原点を左下隅におき、図示のように、ｘ軸方向とｙ軸方向へグリッド線の表示幅ごとに座標値を割り当て、グリッド線で形成されるひとつひとつのセルが直交座標で特定されるようにしている。したがって、図のように配置したマーク４２は、マークの中心点がどのセルに位置するかにより、その配置位置を特定することができる。既に説明した通り、表示部のＬＥＤランプに合わせてマークを配置していく段階で、各マークにはＬＥＤランプの電気的接続順と一致した番号情報（図中の○付き数字）が与えられるため、各マークは、番号情報と上記座標位置情報（位置情報）により個々の位置を特定することが可能になる。図では、「Ａ」の形に配置された１１個のマークには図１０（ｂ）に示すような番号情報と座標位置情報（位置情報）が付与される。これら、マークの位置に関する情報は、発光制御データを作成する上で基本データとなるものであり、これらを基にして発光動作コマンドが実行される。例えば、図１０（ｃ）に示すように、ＬＥＤランプによる「Ａ」の文字を動作コマンド「カーテン表示」で表示する場合、左側から右側へ徐々にランプが点灯していく動きは、ｘ座標に基づいて行われる（上下方向の動きはｙ座標に基づいて行われる）。まず、ｘ座標に０を持つランプが点灯し、次にｘ座標に１をもつランプが点灯し、次にｘ座標に２をもつランプが点灯し、以降、順にｘ座標３、４のランプが点灯する。これにより、「Ａ」の文字がｘ座標方向へＬＥＤランプほぼ２個分ずつ点灯していくのである。
【００２５】
次に、図８に示す画面の右側にある表示動作ボタン３７を押して発光表示動作作成メニューに移行する。表示動作ボタン３７の操作に伴い図１１に示す画面が表示される。この画面ではまず最初に、表示系統数と表示シーンを表示項目として持つテーブル５３が表示される。テーブルの左側縦（列）方向にある表示項目４７には、図８で説明した顧客管理情報メニューで設定した登録内容に基づいて表示系統数の項目が順番に設けられる。本実施例では表示系統数を３に指定しているため、系統０１、系統０２、系統０３が表示されている。また、テーブルの上側横（行）方向にある表示項目４８には、表示シーン設定枠の項目が順番に設けられる。この図１１では表示シーン設定枠として、シーン１、シーン２、シーン３が表示されているが、図８に示す画面の表示動作ボタン３７を押して発光表示動作作成メニューに移行した直後のデフォルト状態では、シーン１のみが表示される。表示シーンとは、３つの表示系統０１〜０３において、それぞれ独立して同時に１つの表示動作コマンドを実行するタイミングを指定するもので、３つの表示系統に対して、一続きの表示動作をもった動作コマンドをシーン１の箇所に割り当てることで、一斉同時にそれぞれ表示動作を実行させることができる。このような作用を持つ表示シーンを各表示系統に割り当てるため、テーブルの列方向に各表示系統ごとに動作コマンド用グリッド５２を形成するのが表示シーン設定枠である。このような作用を持つ表示シーン設定枠の増減は、表示画面の上方にあるボタン４９、５０、５１によって行うことができる。４９はシーン追加ボタンで、このボタンをクリックすると、現在表示されている最後尾にある表示シーン設定枠の後ろに新たに表示シーン設定枠を追加することができる。５０はシーン挿入ボタンで、このボタンをクリックすると、任意の表示シーン設定枠と表示シーン設定枠との間に新たな表示シーン設定枠を挿入することができる。５１はシーン削除ボタンで、このボタンをクリックすると、任意の表示シーン設定枠を削除することができる。
【００２６】
５４は動作コマンドを表すアイコンで、アイコンに割り当てられた動作コマンド名称がアイコン上に表記されている。系統０１、系統０２、系統０３のシーン１にあるアイコンは「点滅」であり、このアイコンにより表示系統１Ａ、１Ｂ、１Ｃで表示部に描く「Ａ」「Ｂ」「〜」が所定回数点滅動作を行う。また、系統０１、系統０２のシーン２にあるアイコンは「色切り替え」であり、このアイコンにより表示部の「Ａ」「Ｂ」が複数色で色変わりする。系統０３のシーン２にある「階調スクロール」アイコンでは、表示部に描いた「〜」の発光色が左端から右端に向かって階調変化を伴いながら別の発光色へ変わっていく。このように各種の発光動作コマンドを持つアイコンは、画面左側にあるパレットにツリー構造で用意されており、所望の動作コマンド名にマウスカーソルを合わせてドラッグ操作を行い、所望のグリッド上でドラッグアンドドロップ操作を行うことにより貼り付けをすることができる。この操作により、各表示系統の各表示シーンに動作コマンドを設定することができる。各動作コマンドの詳細な動きを調整するパラメータ設定を行う場合は、テーブルのグリッドにアイコン貼り付けた状態でマウスカーソルを合わせダブルクリックすればよい。このダブルクリック操作により図１２のパラメータ設定メニューが表示され、「回数」「速度」「切り替え色数」等を調整することができる。これら調整項目は各コマンドにほぼ共通している。「回数」は各コマンドを実行する際に一連の動きを何回繰り返すかを指定するもので、「点滅」であれば何回点滅するかを指定し、「スクロール」であれば端から端まで移動しながら行う変化において端から端までの動きを何回くり返すかを指定する。「速度」とは、各動作コマンドの動きの速さを指定するものであり、「切り替え色数」とは、色変化を伴う動きのコマンドにおいて色を何色用いるかを指定するものである。図１２の画面の上方右側にある５６は表示シーン内の最優先コマンドを指定するチェックボックスで、マウスカーソルを合わせてこのボックスをチェックすることにより、図１１に示すテーブル５３において、同じ表示シーンに属する各表示系統のアイコンのうち、どのアイコンを優先するかを指定することができる。チェックボックス５６をチェックしたアイコンには、図１１に示すように優先マーク５７が表示される。
【００２７】
ある表示シーンの中で最優先の順位を与えられると、最優先のアイコンの動作コマンド実行時間を基準にして他のアイコンの動作コマンドが実行される。同じ動作コマンドでパラメータの設定も同じアイコンで表示シーンが構成されていれば、コマンドによる発光表示動作に要する時間が全く同じになるため問題ないのであるが、同じ表示シーンに異なるコマンドのアイコンが設定された場合、動作コマンドごとに発光表示動作に要する実行時間が異なるため、何れかのアイコンに実行時間の基準をおく必要がある。例えば、同じ表示シーンに、表示動作に４秒を要する動作コマンドＡと、表示動作に５秒を要する動作コマンドＢとがあったとする。この場合、動作コマンドＡを最優先にすると、動作コマンドＡの動きが終了した時点で、動作コマンドＢは１秒分の動きを残して途中で発光動作を終了する。逆に、動作コマンドＢを最優先にすると、コマンドＢの発光動作が終了するまで動作コマンドＡは表示動作を終了した最後の発光状態を維持して１秒間待機する。本実施例では、優先順位の高いアイコンに合わせて他のアイコンの表示動作を途中で終了処理する場合、ＬＥＤランプを瞬間的に消灯して突然表示動作を終了するのではなく、所定時間をかけながら徐々に消灯することもできる。この場合、最優先順位のアイコン動作が終了した時点から徐々に消灯してもよいし、また、前記コントローラ２において、表示動作に要する実行時間を予め計算しながら表示制御することにより、最優先順位のアイコン動作が終了すると同時に、他のアイコンの動作が徐々に終了し終えるようにすることもできる。
【００２８】
以上のようにして、図１１に示すテーブル５３に必要なだけ表示シーン設定枠を設け、その結果形成される動作コマンド用グリッドにアイコン５４を貼り付けたら、作成した発光表示動作を画面上で確認することができる。表示画面の上方にある模擬表示ボタン５８をクリックすることで、図１３に示す模擬表示画面が表示され、図９に示すＬＥＤランプ配置メニューで作成したマークの配置に基づき、実際の表示部のイメージで表示の動きを動画で確認することができる。図１３の画面には、図１１のテーブルにしたがって、「Ａ」「Ｂ」「〜」がそれぞれ一斉同時に同じ動きで点滅し（シーン１）、次に「Ａ」「Ｂ」の色が切り替わり、同時にそれと平行して「〜」が階調スクロールで表示される（シーン２）。
【００２９】
模擬表示動作を確認し、表示動作に異常な表示動作や問題がなければ、図１１に示す画面の右側にある保存ボタン３８をクリックして、これまで作成した発光制御データを保存する。保存ボタン３８を操作すると保存先を指定することができ（図示しない）、前記メモリカード２２やコンピュータの任意の場所に保存し、終了ボタン３９をクリックして発光制御データ編集プログラムを終了する。
【００３０】
＜発光表示系統のグループ化機能＞
次に発光表示系統のグループ化について説明する。ここまでの説明では、図１０に示すように発光表示系統ごとに座標系を設定し、発光表示系統ごとにマーク４２に座標位置情報と番号情報とを付与していた。そして、発光表示系統ごとにその表示シーンに動作コマンドを設定していた。したがって、表示部１の「Ａ」「Ｂ」「〜」はそれぞれ単独で別々の表示動作を行っていた。これに対して、発光表示系統１Ａ、１Ｂ、１Ｃを１つの同じ系統として設定するのがグループ化である。グループ化の設定手順について図１４を基に説明する。まず、図８に示す表示動作ボタン３７を操作して発光表示動作作成メニューに移行する。同メニューで表示されるテーブル５３において、系統０１、系統０２、系統０３を１つの同じ系統として表示動作を与えたい表示シーン設定枠で、デフォルト表示されている３つのグリッドをマウスカーソルでまとめて範囲指定する（図ではシーン１）。範囲指定することで、それまで３つ表示されていたグリッドが１つの連結したグリッドとして表示されるので、それを確認したところで、次にグループ化設定ボタン７０をクリックする。この操作により範囲指定したグリッドの表示シーンで系統０１、系統０２、系統０３をグループ化することができる。グループ化を解除するときは、グループ化したグリッド上にマウスカーソルを置いて１回クリックして（グループ化した）グリッドを選択し、グループ化解除ボタン７１をクリックすればよい。なお、このグループ化は表示シーン単位で設定することができ、グループ化した表示シーンとそうでない表示シーンとを混在させることができる。その場合は当然グループ化した表示シーンでのみ発光表示系統１Ａ、１Ｂ、１Ｃを１つの表示系統として扱って表示する。このとき、グループ化していないシーンでは各発光表示系統ごとに単独で付与された座標位置情報と番号情報に基づいて表示制御が行われ、グループ化したシーンではグループ化に伴って追加する形で付与された（後述する）座標位置情報と番号情報に基づいて表示制御が行われる。
【００３１】
こうしてグループ化したグリッドには、表示動作を指定するアイコンを１種類貼り付けることができる。図１４のシーン１では「カーテン表示」アイコンを設定しており、その具体的な手順は、前述の通りマウスカーソルを操作して画面左側にあるパレットよりアイコンを選択し、ドラッグアンドドロップ操作でグリッドに貼り付ければよい。
【００３２】
発光表示系統１Ａ、１Ｂ、１Ｃをグループ化すると、図１５に示すように同じレイヤに発光表示系統１Ａ、１Ｂ、１ＣのＬＥＤランプ配置を表すマークが表示され、座標系が設定される。異なる発光表示系統に１つの座標系を設定すると共に座標位置情報と番号情報を新たに計算し直し、グループ化する前の座標位置情報および番号情報とは別に新たに付与される。そのとき、ＬＥＤランプの電気的接続順序を表す番号情報は、座標上において最も左側に位置する発光表示系統である１Ｃより１Ａ、１Ｂの順番で、グループ化する前の番号情報の付与順にしたがって連続番号で付与し直すようにしている。
【００３３】
図１６は、系統０１、系統０２、系統０３のシーン１をグループ化してカーテン表示コマンドを設定した場合の表示動作を表している。図示の通り、異なる表示系統の「Ａ」「Ｂ」「〜」がグループ化され、１つの表示系統であるかのように左端から右端へ徐々に点灯していく表示動作が実行される。
【００３４】
本発明は以上のように構成されるものであるが、上記実施例に限定されることなく特許請求の範囲内で種々の実施形態が考えられる。例えば、発光表示系統の数は実施例では３系統であるが、他の系統数でも実施することができる。また、表示系統のグループ化は任意の系統を選択して行うこともできる。その場合は、グループ化したい系統の表示シーン設定枠のグリッド上にマウスカーソルを合わせ、パソコンのキーボードでＣｔｒｌキーを押下しながらクリックすることで選択したいグリッドのみを指定することができる。
【図面の簡単な説明】
【００３５】
【図１】発光表示システムの全体構成を示す説明図である。
【図２】ＬＥＤランプの外観を示す説明図である。
【図３】発光ユニットと取付ベースとの関係を示す説明図である。
【図４】表示部を実際に設置した例を示す説明図である。
【図５】表示部の一例を示す説明図である。
【図６】発光制御データを作成する流れを示す説明図である。
【図７】顧客管理テーブルを示す説明図である。
【図８】顧客管理情報の登録ウィザードメニュー画面を示す説明図である。
【図９】ＬＥＤランプ配置メニュー画面を示す説明図である。
【図１０】ＬＥＤランプ配置メニュー画面で表示するグリッド線と座標系の関係を説明する図である。
【図１１】テーブル編集画面を示す説明図である。
【図１２】パラメータ設定メニュー画面を示す説明図である。
【図１３】模擬表示画面を示す説明図である。
【図１４】テーブル編集画面を示す説明図である。
【図１５】グループ化した表示系統と座標系との関係を示す説明図である。
【図１６】グループ化した表示系統の発光表示動作を表す説明図である。
【図１７】ＬＥＤランプを配置した例を示す説明図である。
【符号の説明】
【００３６】
１    表示部
１Ａ，１Ｂ，１Ｃ  発光表示系統
２    コントローラ
３    ランプケース
４    ＬＥＤ
５    可撓性ケーブル
７    発光ユニット
８    取付ベース
１１  発光体たるＬＥＤランプ
４２  マーク
４８  表示シーン設定枠
５２  動作コマンド用グリッド
５３  テーブル
５４  アイコン
６０  表示グリッド
７０  グループ化設定ボタン
７１  グループ化解除ボタン
【図１】
2006119171.tif 000003
【図２】
2006119171.tif 000004
【図３】
2006119171.tif 000005
【図４】
2006119171.tif 000006
【図５】
2006119171.tif 000007
【図６】
2006119171.tif 000008
【図７】
2006119171.tif 000009
【図８】
2006119171.tif 000010
【図９】
2006119171.tif 000011
【図１０】
2006119171.tif 000012
【図１１】
2006119171.tif 000013
【図１２】
2006119171.tif 000014
【図１３】
2006119171.tif 000015
【図１４】
2006119171.tif 000016
【図１５】
2006119171.tif 000017
【図１６】
2006119171.tif 000018
【図１７】
2006119171.tif 000019